【手続補正書】
【提出日】平成27年6月17日(2015.6.17)
【手続補正１】
【補正対象書類名】特許請求の範囲
【補正対象項目名】全文
【補正方法】変更
【補正の内容】
【特許請求の範囲】
【請求項１】
光源からの光を読み取り対象物に導光する棒状の導光体を有し前記対象物を照明する照明手段と、
前記導光体に並設され、複数のレンズ面が前記導光体の長手方向と同方向に配列された入射面が設けられたレンズアレイを有し前記入射面に入射した前記対象物からの反射光を集光してセンサー上に正立等倍像を形成する結像光学素子と、
前記導光体および前記結像光学素子を保持する保持手段と、
を備え、
前記保持手段によって保持された前記導光体は、前記保持手段によって保持された前記結像光学素子に一部重なって配置され、前記結像光学素子の前記保持手段からの脱離を規制する、
ことを特徴とする画像読取装置。
【請求項２】
前記保持手段は、
フレーム部材と、
前記フレーム部材の内部空間を第１の空間と第２の空間とに仕切る仕切部材と、を備え、
前記導光体および前記結像光学素子は、前記仕切部材の前記第１の空間側に保持され、
前記センサーは、前記第２の空間において前記第１の空間側の前記結像光学素子に対向する位置に配置され、
前記仕切部材は、前記第１の空間側の前記結像光学素子から出射される光が通過するスリットが形成されている請求項１に記載の画像読取装置。
【請求項３】
前記照明手段は、前記光源が実装された光源用基板をさらに有し、
前記保持手段は、前記導光体が前記保持手段の長手方向の一端側から挿入される挿入溝をさらに有し、
前記挿入溝の一端側から前記導光体が挿入されてその一端側を前記光源用基板で抜け止めするように前記光源用基板の前記光源の実装面を当接させて押さえることにより、前記導光体の前記挿入溝からの脱離を規制して前記導光体を挿入状態に保持する請求項１または２に記載の画像読取装置。
【請求項４】
前記挿入溝の他端側に、前記導光体を前記挿入溝から脱離する方向に付勢する付勢手段が設けられている請求項３に記載の画像読取装置。
【請求項５】
光源からの光を導光体により導光して読み取り対象物に照射し、前記対象物からの反射光を結像光学素子によって集光して形成した正立等倍像をセンサーにより読み取る画像読取装置が備える筐体であって、フレーム部材の内部空間を、前記導光体および前記結像光学素子が配置される第１の空間と前記センサーが配置される第２の空間とに仕切って配設される仕切部材の前記第１の空間側である一方側に、挿入溝と、該挿入溝に並設される凹溝とを形成し、前記挿入溝に前記導光体を挿入し、前記凹溝に前記結像光学素子を嵌挿して、前記導光体および前記結像光学素子を保持する筐体の製造方法において、
前記仕切部材の一方側を形成する第１の金型と、前記仕切部材の他方側を形成する第２の金型とを対向配置して成型空間を形成し、前記成型空間に、複数の挿入溝形成用ダイを列状に配置する工程と、
前記成型空間に、前記仕切部材の材料となる液体を流し込んで硬化させる工程とを備え、
前記第１の金型には、前記挿入溝の底面の一部を形成する第１の底面形成面を有する複数の第１のダイが列状に突設されると共に、前記第１のダイに並設されて、前記凹溝を形成する第２のダイが突設され、
各前記挿入溝形成用ダイは、前記挿入溝の底面の残りの一部を形成する第２の底面形成面と、該第２の底面形成面に対向配置されて前記挿入溝に挿入される前記導光体を前記底面に押圧するための押圧面を形成する押圧面形成面とを有し、
前記成型空間内において、各前記第１のダイおよび各前記挿入溝形成用ダイが互いに隣り合うように密着配置される、
ことを特徴とする筐体の製造方法。
【請求項６】
光源からの光を読み取り対象物に導光する導光体を有し前記対象物を照明する照明手段と、
前記導光体に並設され、入射面に入射した前記対象物からの反射光を集光してセンサー上に正立等倍像を形成する結像光学素子と、
前記導光体および前記結像光学素子を保持する保持手段と、
を備え、
前記結像光学素子は、前記導光体に対向する部分が面取りされた面取り部位を有し、
前記保持手段によって保持された前記導光体は、前記保持手段によって保持された前記結像光学素子の前記面取り部位に接するように配置されることで、前記結像光学素子の前記保持手段からの脱離を規制する、
ことを特徴とする画像読取装置。
【請求項７】
光源からの光を読み取り対象物に導光する導光体を有し前記対象物を照明する照明手段と、
前記導光体に並設され、入射面に入射した前記対象物からの反射光を集光してセンサー上に正立等倍像を形成する結像光学素子と、
前記導光体および前記結像光学素子を保持する保持手段と、
を備え、
前記導光体は、前記結像光学素子に対向する部分が面取りされた面取り部位を有し、
前記保持手段によって保持された前記導光体の前記面取り部位は、前記保持手段によって保持された前記結像光学素子に接するように配置されることで、前記結像光学素子の前記保持手段からの脱離を規制する、
ことを特徴とする画像読取装置。
【手続補正２】
【補正対象書類名】明細書
【補正対象項目名】０００６
【補正方法】変更
【補正の内容】
【０００６】
この発明にかかる画像読取装置は、上記目的を達成するために、光源からの光を読み取り対象物に導光する棒状の導光体を有し前記対象物を照明する照明手段と、前記導光体に並設され、複数のレンズ面が前記導光体の長手方向と同方向に配列された入射面が設けられたレンズアレイを有し前記入射面に入射した前記対象物からの反射光を集光してセンサー上に正立等倍像を形成する結像光学素子と、前記導光体および前記結像光学素子を保持する保持手段と、を備え、前記保持手段によって保持された前記導光体は、前記保持手段によって保持された前記結像光学素子に一部重なって配置され、前記結像光学素子の前記保持手段からの脱離を規制することを特徴とする。
【手続補正３】
【補正対象書類名】明細書
【補正対象項目名】０００７
【補正方法】変更
【補正の内容】
【０００７】
このように構成された発明では、保持手段によって保持された導光体は、保持手段によって保持された結像光学素子に一部重なって配置されることによって、結像光学素子の保持手段からの脱離を規制するので、導光体および結像光学素子を所定位置に固定配置するのに接着剤等の固着手段を必要とせず、接着剤を用いずに組み立てることにより、廃棄の際に分解が容易でリサイクル性の向上が図られた画像読取装置を提供することができる。
【手続補正４】
【補正対象書類名】明細書
【補正対象項目名】０００８
【補正方法】変更
【補正の内容】
【０００８】
また、前記保持手段は、フレーム部材と、前記フレーム部材の内部空間を第１の空間と第２の空間とに仕切る仕切部材と、を備え、前記導光体および前記結像光学素子は、前記仕切部材の前記第１の空間側に保持され、前記センサーは、前記第２の空間において前記第１の空間側の前記結像光学素子に対向する位置に配置され、前記仕切部材は、前記第１の空間側の前記結像光学素子から出射される光が通過するスリットが形成されているとよい。
【手続補正５】
【補正対象書類名】明細書
【補正対象項目名】０００９
【補正方法】変更
【補正の内容】
【０００９】
このように構成すると、フレーム部材の内部空間を第１の空間と第２の空間とに仕切る仕切部材の第１の空間側に導光体および結像光学素子が保持される。そして、センサーは、第２の空間において第１の空間側の結像光学素子に対向する位置に配置され、仕切部材は、第１の空間側の結像光学素子から出射される光が通過するスリットが形成されているので、結像光学素子により、読み取り対象物からの反射光を集光してスリットを介してセンサー上に正立等倍像を形成することができる。また、導光体が保持される第１の空間と、センサーが配置される第２の空間とは、仕切部材により隔離されているので、導光体の光が第２の空間に漏れるおそれが無く、導光体から漏洩した光のセンサーへの入射によるノイズの発生を防止することができる。
【手続補正６】
【補正対象書類名】明細書
【補正対象項目名】００１０
【補正方法】変更
【補正の内容】
【００１０】
また、前記照明手段は、前記光源が実装された光源用基板をさらに有し、前記保持手段は、前記導光体が前記保持手段の長手方向の一端側から挿入される挿入溝をさらに有し、前記挿入溝の一端側から前記導光体が挿入されてその一端側を前記光源用基板で抜け止めするように前記光源用基板の前記光源の実装面を当接させて押さえることにより、前記導光体の前記挿入溝からの脱離を規制して前記導光体を挿入状態に保持するとよい。
【手続補正７】
【補正対象書類名】明細書
【補正対象項目名】００１４
【補正方法】変更
【補正の内容】
【００１４】
また、この発明にかかる筐体の製造方法は、光源からの光を導光体により導光して読み取り対象物に照射し、前記対象物からの反射光を結像光学素子によって集光して形成した正立等倍像をセンサーにより読み取る画像読取装置が備える筐体であって、フレーム部材の内部空間を、前記導光体および前記結像光学素子が配置される第１の空間と前記センサーが配置される第２の空間とに仕切って配設される仕切部材の前記第１の空間側である一方側に、挿入溝と、該挿入溝に並設される凹溝とを形成し、前記挿入溝に前記導光体を挿入し、前記凹溝に前記結像光学素子を嵌挿して、前記導光体および前記結像光学素子を保持する筐体の製造方法において、前記仕切部材の一方側を形成する第１の金型と、前記仕切部材の他方側を形成する第２の金型とを対向配置して成型空間を形成し、前記成型空間に、複数の挿入溝形成用ダイを列状に配置する工程と、前記成型空間に、前記仕切部材の材料となる液体を流し込んで硬化させる工程とを備え、前記第１の金型には、前記挿入溝の底面の一部を形成する第１の底面形成面を有する複数の第１のダイが列状に突設されると共に、前記第１のダイに並設されて、前記凹溝を形成する第２のダイが突設され、各前記挿入溝形成用ダイは、前記挿入溝の底面の残りの一部を形成する第２の底面形成面と、該第２の底面形成面に対向配置されて前記挿入溝に挿入される前記導光体を前記底面に押圧するための押圧面を形成する押圧面形成面とを有し、前記成型空間内において、各前記第１のダイおよび各前記挿入溝形成用ダイが互いに隣り合うように密着配置されることを特徴としている。
【手続補正８】
【補正対象書類名】明細書
【補正対象項目名】００１６
【補正方法】変更
【補正の内容】
【００１６】
第１の金型には、挿入溝の底面の一部を形成する第１の底面形成面を有する複数の第１のダイが列状に突設されると共に、第１のダイに並設されて、凹溝を形成する第２のダイが突設され、各挿入溝形成用ダイは、挿入溝の底面の残りの一部を形成する第２の底面形成面と、該第２の底面形成面に対向配置されて挿入溝に挿入される導光体を底面に押圧するための押圧面を形成する押圧面形成面とを有し、成型空間内において、各第１のダイおよび各挿入溝形成用ダイが互いに隣り合うように密着配置されることにより、挿入溝の底面の形成型が形成されて、仕切部材の一方側に、底面および押圧面を備える挿入溝が形成されると共に、挿入溝に並設された凹溝が形成される。したがって、挿入溝形成用ダイにより挿入溝の押圧面が形成されるが、第２の金型に押圧面を形成する押圧面形成面を有するダイを突設して前記押圧面を形成する場合と異なり、挿入溝形成用ダイが成型物から引抜かれた際に形成される孔が、第２の金型により形成される仕切部材の他方側に連通するおそれがないので、第１の空間と第２の空間とが確実に隔離された状態で、仕切部材の一方側に挿入溝および凹溝が形成された筐体を製造することができる。また、製造された筐体の挿入溝に挿入して配置された導光体の光が、センサーが配置される第２の空間に漏れるおそれがないので、導光体から漏洩した光のセンサーへの入射によるノイズの発生を防止することができる。
また、この発明にかかる画像読取装置は、上記目的を達成するために、光源からの光を読み取り対象物に導光する導光体を有し前記対象物を照明する照明手段と、前記導光体に並設され、入射面に入射した前記対象物からの反射光を集光してセンサー上に正立等倍像を形成する結像光学素子と、前記導光体および前記結像光学素子を保持する保持手段と、を備え、前記結像光学素子は、前記導光体に対向する部分が面取りされた面取り部位を有し、前記保持手段によって保持された前記導光体は、前記保持手段によって保持された前記結像光学素子の前記面取り部位に接するように配置されることで、前記結像光学素子の前記保持手段からの脱離を規制することを特徴とする。
さらに、この発明にかかる画像読取装置は、上記目的を達成するために、光源からの光を読み取り対象物に導光する導光体を有し前記対象物を照明する照明手段と、前記導光体に並設され、入射面に入射した前記対象物からの反射光を集光してセンサー上に正立等倍像を形成する結像光学素子と、前記導光体および前記結像光学素子を保持する保持手段と、を備え、前記導光体は、前記結像光学素子に対向する部分が面取りされた面取り部位を有し、前記保持手段によって保持された前記導光体の前記面取り部位は、前記保持手段によって保持された前記結像光学素子に接するように配置されることで、前記結像光学素子の前記保持手段からの脱離を規制することを特徴とする。